【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
ホースアセンブリであって、
内核管と、
前記内核管の遠位端の中に挿入されたステム部を備えるコネクタと、
前記内核管と同軸であり、かつ前記内核管を包囲する外部金属管であって、前記外部金属管は、前記内核管の遠位端の軸方向内方の遠位端で終端する、外部金属管と、
前記内核管の遠位端と同軸であり、かつ前記内核管の遠位端を包囲する襟であって、前記襟は、前記外部金属管の遠位端に溶接された第１の端部、前記コネクタに溶接された第２の端部、および前記第１の端部と前記第２の端部との間の中間部を含み、前記中間部は、前記内核管の遠位端を前記コネクタのステム部に固定するように、前記内核管の遠位端に対して半径方向に圧縮される、襟と、
を備える、ホースアセンブリ。
【請求項２】
前記外部金属管は波形管を備える、請求項１に記載のホースアセンブリ。
【請求項３】
前記襟の第１の端部は、前記波形管の最端波形部を受領するような大きさにされた座グリを備える、請求項２に記載のホースアセンブリ。
【請求項４】
前記襟の第１の端部は、前記波形管の最端波形の上に圧着される、請求項２に記載のホースアセンブリ。
【請求項５】
前記内核管はプラスチックを備える、請求項１に記載のホースアセンブリ。
【請求項６】
前記内核管は、管状核要素に固定された補強層を備える、請求項１に記載のホースアセンブリ。
【請求項７】
前記補強層は、前記核要素の外部表面に固定される、請求項６に記載のホースアセンブリ。
【請求項８】
前記外部金属管および前記内核管は、半径方向の間隙によって分離される、請求項１に記載のホースアセンブリ。
【請求項９】
前記襟の中間部は、前記内核管の遠位端に対して圧着される、請求項１に記載のホースアセンブリ。
【請求項１０】
前記ステム部は、前記内核管の遠位端の保持のための外部突起部を備える、請求項１に記載のホースアセンブリ。
【請求項１１】
前記外部金属管の遠位端は、前記コネクタから軸方向に離間される、請求項１に記載のホースアセンブリ。
【請求項１２】
前記襟の第２の端部は、前記コネクタの環状リブに溶接される、請求項１に記載のホースアセンブリ。
【請求項１３】
前記襟の第２の端部は、前記コネクタの円筒肩に溶接される、請求項１に記載のホースアセンブリ。
【請求項１４】
前記襟の第２の端部は、前記コネクタの環状リブに対して圧着される、請求項１に記載のホースアセンブリ。
【請求項１５】
前記襟の第２の端部は、前記コネクタの円筒肩に対して圧着される、請求項１に記載のホースアセンブリ。
【請求項１６】
ホースアセンブリであって、
内核管と、
前記内核管の遠位端に固定されたコネクタと、
前記内核管と同軸であり、かつ前記内核管を包囲する外部金属管であって、前記外部金属管は、前記内核管の遠位端の軸方向内方の遠位端で終端する、外部金属管と、
前記内核管の遠位端と同軸であり、かつ前記内核管の遠位端を包囲する襟であって、前記襟は、前記外部金属管の遠位端に溶接された第１の端部、および前記コネクタに溶接された第２の端部を含む、襟と、
を備える、ホースアセンブリであり、
前記襟の第２の端部は、前記襟の第２の端部の外部表面上の１つ以上の隆起部を備え、前記１つ以上の隆起部は半径方向に変形される、ホースアセンブリ。
【請求項１７】
前記１つ以上の隆起部は複数の環状リブを備える、請求項１６に記載のホースアセンブリ。
【請求項１８】
ホースアセンブリを作成する方法であって、前記方法は、
襟の裾広がりの第１の端部に溶接された遠位端を有する金属管を提供することと、
コネクタのステム部を受領する遠位端を有する核管を提供することと、
前記核管を前記金属管の中に挿入することと、
前記襟の第２の端部が前記コネクタに位置合わせし、前記核管の遠位端が前記金属管の遠位端の軸方向外方に延在し、前記襟の中間部に位置合わせするように、前記核管および前記コネクタを位置付けることと、
前記核管の遠位端を前記コネクタのステム部に固定するように、前記核管の遠位端に対して前記襟の中間部を半径方向に圧縮することと、
前記襟の第２の端部を前記コネクタに溶接することと、
を含む、方法。
【請求項１９】
ホースアセンブリであって、
内核管と、
前記内核管の遠位端の中に挿入されたステム部を備えるコネクタと、
前記内核管と同軸であり、かつ前記内核管を包囲する外部金属管であって、前記外部金属管は、前記内核管の遠位端の軸方向内方の遠位端で終端する、外部金属管と、
前記内核管の遠位端と同軸であり、かつ前記内核管の遠位端を包囲する襟であって、前記襟は、前記内核管の遠位端を前記コネクタのステム部に固定するように、前記内核管の遠位端に対して半径方向に圧縮される中間部、前記中間部から半径方向外方に裾広がりで、かつ前記外部金属管の遠位端に溶接された第１の端部、および、前記コネクタの外部表面に対して半径方向に圧縮され、かつ前記コネクタに取り付けられた第２の端部を含む、襟と、
を備える、ホースアセンブリ。
【請求項２０】
前記外部金属管は波形管を備える、請求項１９に記載のホースアセンブリ。
【請求項２１】
前記襟の第１の端部は、前記波形管の最端波形部を受領するような大きさにされた座グリを備える、請求項２０に記載のホースアセンブリ。
【請求項２２】
前記襟の第１の端部は、前記波形管の最端波形の上に半径方向に圧縮される、請求項２０に記載のホースアセンブリ。
【請求項２３】
前記内核管はプラスチックを備える、請求項１９に記載のホースアセンブリ。
【請求項２４】
前記内核管は、ＰＦＡおよびＰＴＦＥの一方を備える、請求項１９に記載のホースアセンブリ。
【請求項２５】
前記内核管は、管状核要素に固定された補強層を備える、請求項１９に記載のホースアセンブリ。
【請求項２６】
前記補強層は編組材料を備える、請求項２５に記載のホースアセンブリ。
【請求項２７】
前記外部金属管および前記内核管は、半径方向の間隙によって分離される、請求項１９に記載のホースアセンブリ。
【請求項２８】
前記ステム部は、前記内核管の遠位端の保持のための外部突起部を備える、請求項１９に記載のホースアセンブリ。
【請求項２９】
前記外部金属管の遠位端は、前記コネクタから軸方向に離間される、請求項１９に記載のホースアセンブリ。
【請求項３０】
前記襟は漏れ検出ポートを備える、請求項１９に記載のホースアセンブリ。
【請求項３１】
前記コネクタの外部表面は環状半径方向突出部を備え、前記襟の第２の端部は、前記コネクタの環状半径方向突出部に対して半径方向に圧縮され、かつ前記コネクタの環状半径方向突出部に溶接される、請求項１９に記載のホースアセンブリ。
【請求項３２】
前記襟は、前記第１の端部と前記第２の端部との間の中間部を含み、前記中間部は、前記内核管の遠位端を前記コネクタのステム部に固定するように、前記内核管の外部補強層に対して半径方向に圧縮される、請求項１９に記載のホースアセンブリ。
【請求項３３】
前記襟の第２の端部は前記コネクタに溶接される、請求項１９に記載のホースアセンブリ。
【請求項３４】
ホースアセンブリを作成する方法であって、前記方法は、
襟の第１の端部に金属管の遠位端を溶接することと、
コネクタのステム部を核管の遠位端の中に挿入することと、
前記核管を前記金属管の中に挿入することと、
前記襟の第２の端部が前記コネクタに位置合わせし、前記核管の遠位端が前記金属管の遠位端の軸方向外方に延在し、前記襟の中間部に位置合わせするように、前記核管および前記コネクタを位置付けることと、
前記襟の第１の端部が前記襟の中間部から半径方向外方に裾広がりである状態で、前記内核管の遠位端を前記コネクタのステム部に固定するように、前記内核管の遠位端に対して前記襟の中間部を半径方向に圧縮することと、
前記コネクタの外部表面に対して前記襟の第２の端部を半径方向に圧縮することと、
を備える、方法。
【請求項３５】
前記コネクタの外部表面に対して前記襟の第２の端部を半径方向に圧縮することは、前記コネクタの外部表面の上の環状半径方向突出部に対して前記襟の第２の端部を半径方向に圧縮することを備える、請求項３４に記載の方法。
【請求項３６】
前記襟の第２の端部を前記コネクタの外部表面の上の環状半径方向突出部に溶接することをさらに備える、請求項３４に記載の方法。
【請求項３７】
前記金属管は波形管を備え、前記襟の第１の端部に前記金属管の遠位端を溶接することは、前記波形管の最端波形部を前記襟の第１の端部の座グリの中で受領することを備える、請求項３４に記載の方法。
【請求項３８】
前記内核管の遠位端に対して前記襟の中間部を半径方向に圧縮することは、前記核管の遠位端を前記コネクタのステム部に固定するように、前記核管の外部補強層に対して前記襟の中間部を半径方向に圧縮することを備える、請求項３４に記載の方法。
【請求項３９】
前記襟の第２の端部を前記コネクタの外部表面に溶接することをさらに備える、請求項３４に記載の方法。
【請求項４０】
ホースアセンブリであって、
プラスチック管状核要素、および前記プラスチック管状核要素を包囲する補強層を含む内核管と、
前記内核管の遠位端の中に挿入されたステム部を備えるコネクタと、
前記内核管と同軸であり、かつ前記内核管を包囲する外部金属管であって、前記外部金属管は、前記内核管の遠位端の軸方向内方の遠位端で終端する、外部金属管と、
前記内核管の遠位端と同軸であり、かつ前記内核管の遠位端を包囲する襟であって、前記襟は、前記外部金属管の遠位端に溶接された裾広がりの第１の端部、前記コネクタに取り付けられた第２の端部、および前記第１の端部と前記第２の端部との間の中間部を含み、前記中間部は、前記内核管の遠位端を前記コネクタのステム部に固定するように、前記内核管の遠位端にて前記補強層に対して半径方向に圧縮される、襟と、
を備える、ホースアセンブリ。
【請求項４１】
前記襟の第２の端部は前記コネクタに溶接される、請求項４０に記載のホースアセンブリ。